(57)【要約】【課題】マルチキャリアＯＦＤＭＡシステムの各種の測定構成およびｓ‐Ｍｅａｓｕｒｅを提供する【解決手段】マルチキャリア無線通信システムにおけるユーザー端末（ＵＥ）によって、プライマリコンポーネントキャリア（ＰＣＣ）上のプライマリサービングセル（Ｐｃｅｌｌ）の信号受信電力を測定するステップ、構成されたセカンダリセル（Ｓｃｅｌｌ）のＲＳＲＱ／ＲＳＲＰレベルを監視してＳｃｅｌｌの信号品質を得るステップ、前記信号受信電力としきい値（ｓ‐Ｍｅａｓｕｒｅ）とを比較するステップ、および前記信号受信電力が前記ｓ‐Ｍｅａｓｕｒｅ値より高い場合、ｓ‐Ｍｅａｓｕｒｅ機構を有効にし、全てのＣＣ上の隣接セルの測定を停止するステップを含む方法。【選択図】    図１
2013534093.tif 000002
【特許請求の範囲】
【請求項１】
マルチキャリア無線通信システムにおけるユーザー端末（ＵＥ）によって、プライマリコンポーネントキャリア（ＰＣＣ）上のプライマリサービングセル（Ｐｃｅｌｌ）の信号受信電力を測定するステップ、
構成されたセカンダリセル（Ｓｃｅｌｌ）のＲＳＲＱ／ＲＳＲＰレベルを監視してＳｃｅｌｌの信号品質を得るステップ、
前記信号受信電力としきい値（ｓ‐Ｍｅａｓｕｒｅ）とを比較するステップ、および
前記信号受信電力が前記ｓ‐Ｍｅａｓｕｒｅ値より高い場合、ｓ‐Ｍｅａｓｕｒｅ機構を有効にし、全てのＣＣ上の隣接セルの測定を停止するステップを含む方法。
【請求項２】
前記Ｓｃｅｌｌの信号品質が前記しきい値より低い時、または前記Ｓｃｅｌｌの干渉が検出された時、ｓ‐Ｍｅａｓｕｒｅ機構を無効にし、前記ＵＥは、全てのＣＣ上の隣接セルの測定を開始するステップを更に含む請求項１に記載の方法。
【請求項３】
前記Ｓｃｅｌｌの信号品質が前記しきい値より低い時、または前記Ｓｃｅｌｌの干渉が検出された時、前記Ｓｃｅｌｌ上のｓ‐Ｍｅａｓｕｒｅ機構を無効にし、前記ＵＥは、前記ＳＣＣ上の隣接セルの測定を開始するステップを更に含む請求項１に記載の方法。
【請求項４】
前記ＵＥは、フェムトセルで用いられるキャリア周波数上のｓ‐Ｍｅａｓｕｒｅ機構を無効にし、前記ＵＥは、前記キャリア周波数上の隣接セルの測定を開始する請求項１に記載の方法。
【請求項５】
前記ＵＥは、ＳＣＣ追加用の構成されていないＣＣを検出する必要がある時、前記構成されていないＣＣ上のｓ‐Ｍｅａｓｕｒｅ機構を無効にし、前記ＵＥは、前記構成されていないＣＣ上の隣接セルの測定を開始する請求項１に記載の方法。
【請求項６】
ＳＣＣ上のセカンダリサービングセル（Ｓｃｅｌｌ）の前記第２の信号受信電力を測定するステップ、および
前記信号受信電力および前記第２の信号受信電力の両方が前記ｓ‐Ｍｅａｓｕｒｅ値より高い場合、ｓ‐Ｍｅａｓｕｒｅ機構を有効にし、全てのＣＣ上の隣接セルの測定を停止するステップを含む方法。
【請求項７】
前記ＵＥは、前記信号受信電力または前記第２の信号受信電力のいずれかが前記ｓ‐Ｍｅａｓｕｒｅ値より低い時、ｓ‐Ｍｅａｓｕｒｅ機構を無効にし、前記ＵＥは、全てのＣＣ上の隣接セルの測定を開始する請求項６に記載の方法。
【請求項８】
前記ＵＥは、チャネル品質指示（ＣＱＩ）が前記Ｓｃｅｌｌで干渉を示した時、ｓ‐Ｍｅａｓｕｒｅ機構を無効にし、前記ＵＥは、全てのＣＣ上の隣接セルの測定を開始する請求項６に記載の方法。
【請求項９】
マルチキャリア無線通信システムにおけるプライマリコンポーネントキャリア（ＰＣＣ）上のプライマリサービングセル（Ｐｃｅｌｌ）からの第１の基準信号を受信するＲＦモジュール、
セカンダリコンポーネントキャリア（ＳＣＣ）上のセカンダリサービングセル（Ｓｃｅｌｌ）からの第２の基準信号を受信し、Ｓｃｅｌｌの信号品質を導き出すＲＦモジュール、および
第１の基準信号受信電力（ＲＳＲＰ）レベルとしきい値（ｓ‐Ｍｅａｓｕｒｅ）とを比較し、前記第１のＲＳＲＰレベルが前記ｓ‐Ｍｅａｓｕｒｅ値より高い場合、前記ＵＥがｓ‐Ｍｅａｓｕｒｅ機構を有効にし、全てのＣＣ上の隣接セルの測定を停止する測定モジュールを含むユーザー端末（ＵＥ）。
【請求項１０】
前記ＵＥは、前記Ｓｃｅｌｌの信号品質が前記しきい値より低い時、または前記Ｓｃｅｌｌの干渉が検出された時、前記Ｓｃｅｌｌ上のｓ‐Ｍｅａｓｕｒｅ機構を無効にし、前記ＵＥは、前記ＳＣＣ上の隣接セルの測定を開始する請求項９に記載のＵＥ。
【請求項１１】
前記ＵＥは、フェムトセルで用いられるキャリア周波数上のｓ‐Ｍｅａｓｕｒｅ機構を無効にし、前記ＵＥは、前記キャリア周波数上の隣接セルの測定を開始する請求項９に記載のＵＥ。
【請求項１２】
前記ＵＥは、ＳＣＣ追加用の構成されていないＣＣを検出する必要がある時、前記構成されていないＣＣ上のｓ‐Ｍｅａｓｕｒｅ機構を無効にし、前記ＵＥは、前記構成されていないＣＣ上の隣接セルの測定を開始する請求項９に記載のＵＥ。
【請求項１３】
前記測定モジュールは、第２の基準信号受信電力（ＲＳＲＰ）レベルとｓ‐Ｍｅａｓｕｒｅ値も比較し、前記第１のＲＳＲＰおよび前記第２のＲＳＲＰの両方が前記ｓ‐Ｍｅａｓｕｒｅ値より高い場合、前記ＵＥがｓ‐Ｍｅａｓｕｒｅ機構を有効にし、全てのＣＣ上の隣接セルの測定を停止する請求項９に記載のＵＥ。
【請求項１４】
前記ＵＥは、前記第１のＲＳＲＰまたは前記第２のＲＳＲＰのいずれかが前記ｓ‐Ｍｅａｓｕｒｅ値より低い時、ｓ‐Ｍｅａｓｕｒｅ機構を無効にし、前記ＵＥは、全てのＣＣ上の隣接セルの測定を開始する請求項１３に記載のＵＥ。
【請求項１５】
前記ＵＥは、チャネル品質指示（ＣＱＩ）が前記Ｓｃｅｌｌで干渉を示した時、ｓ‐Ｍｅａｓｕｒｅ機構を無効にし、前記ＵＥは、全てのＣＣ上の隣接セルの測定を開始する請求項１３に記載のＵＥ。
【請求項１６】
マルチキャリア無線通信システムにおけるユーザー端末（ＵＥ）によって、プライマリコンポーネントキャリア（ＰＣＣ）上のプライマリサービングセル（Ｐｃｅｌｌ）の信号受信電力を測定するステップ、
前記第１の信号受信電力が第１のｓ‐Ｍｅａｓｕｒｅ値より高い場合、ｓ‐Ｍｅａｓｕｒｅ機構を有効にし、ＰＣＣ上の隣接セルの測定を停止するステップ、
ユーザー端末（ＵＥ）によって、セカンダリコンポーネントキャリア（ＳＣＣ）上のセカンダリサービングセル（Ｓｃｅｌｌ）の信号受信電力を測定するステップ、および
前記第２の信号受信電力が第２のｓ‐Ｍｅａｓｕｒｅ値より高い場合、ｓ‐Ｍｅａｓｕｒｅ機構を有効にし、前記ＳＣＣ上の隣接セルの測定を停止するステップを含む方法。
【請求項１７】
干渉検出用にＳｃｅｌｌ上のＣＱＩを監視するステップ、および
前記Ｓｃｅｌｌの干渉が検出された時、ｓ‐Ｍｅａｓｕｒｅ機構を無効にし、前記ＵＥが前記ＳＣＣ上の隣接セルの測定を開始するステップを更に含む請求項１６に記載の方法。
【請求項１８】
前記ＵＥは、フェムトセルで用いられるキャリア周波数上のｓ‐Ｍｅａｓｕｒｅ機構を無効にし、前記ＵＥは、前記キャリア周波数上の隣接セルの測定を開始する請求項１６に記載の方法。
【請求項１９】
前記ＵＥは、ＳＣＣ追加用の構成されていないＣＣを検出する必要がある時、前記構成されていないＣＣ上のｓ‐Ｍｅａｓｕｒｅ機構を無効にし、前記ＵＥは、前記構成されていないＣＣ上の隣接セルの測定を開始する請求項１６に記載の方法。
【請求項２０】
前記構成されていないＣＣ上の隣接セルの測定は、Ｐｃｅｌｌの前記第１の信号受信電力を前記第１のｓ‐Ｍｅａｓｕｒｅ値と比較することで決定される請求項１６に記載の方法。
【請求項２１】
前記構成されていないＣＣ上の隣接セルの測定は、Ｐｃｅｌｌの前記第１の信号受信電力を前記構成されていないＣＣの前記第３のｓ‐Ｍｅａｓｕｒｅ値と比較することで決定される請求項１６に記載の方法。
【請求項２２】
マルチキャリア無線通信システムにおけるプライマリコンポーネントキャリア（ＰＣＣ）上のプライマリサービングセル（Ｐｃｅｌｌ）の第１の基準信号を受信する第１のＲＦモジュール、
セカンダリコンポーネントキャリア（ＳＣＣ）上のセカンダリサービングセル（Ｓｃｅｌｌ）の第２の基準信号を受信する第２のＲＦモジュール、および
第１の基準信号受信電力（ＲＳＲＰ）レベルと第１のｓ‐Ｍｅａｓｕｒｅ値とを比較し、且つ第２の基準信号受信電力（ＲＳＲＰ）レベルと第２のｓ‐Ｍｅａｓｕｒｅ値とを比較し、前記第１のＲＳＲＰレベルが前記第１のｓ‐Ｍｅａｓｕｒｅ値より高い場合、前記ＵＥがｓ‐Ｍｅａｓｕｒｅ機構を有効にし、前記ＰＣＣ上の隣接セルの測定を停止し、且つ前記第２のＲＳＲＰレベルが前記第２のｓ‐Ｍｅａｓｕｒｅ値より高い場合、前記ＵＥがｓ‐Ｍｅａｓｕｒｅ機構を有効にし、前記ＰＣＣ上の隣接セルの測定を停止する測定モジュールを含むユーザー端末（ＵＥ）。
【請求項２３】
前記ＵＥは、干渉検出用にＳｃｅｌｌ上のＣＱＩを監視し、前記ＵＥは、前記Ｓｃｅｌｌの干渉が検出された時、ｓ‐Ｍｅａｓｕｒｅ機構を無効にし、且つ前記ＵＥは、前記ＳＣＣ上の隣接セルの測定を開始する請求項２２に記載のＵＥ。
【請求項２４】
前記ＵＥは、フェムトセルで用いられるキャリア周波数上のｓ‐Ｍｅａｓｕｒｅ機構を無効にし、前記ＵＥは、前記キャリア周波数上の隣接セルの測定を開始する請求項２２に記載のＵＥ。
【請求項２５】
前記ＵＥは、ＳＣＣ追加用の構成されていないＣＣを検出する必要がある時、前記構成されていないＣＣ上のｓ‐Ｍｅａｓｕｒｅ機構を無効にし、前記ＵＥは、前記構成されていないＣＣ上の隣接セルの測定を開始する請求項２２に記載のＵＥ。
【請求項２６】
前記構成されていないＣＣ上の隣接セルの測定は、Ｐｃｅｌｌの前記第１の信号受信電力を前記第１のｓ‐Ｍｅａｓｕｒｅ値と比較することで決定される請求項２２に記載のＵＥ。
【請求項２７】
前記構成されていないＣＣ上の隣接セルの測定は、Ｐｃｅｌｌの前記第１の信号受信電力を前記構成されていないＣＣの前記第３のｓ‐Ｍｅａｓｕｒｅ値と比較することで決定される請求項２２に記載のＵＥ。
【発明の詳細な説明】
【技術分野】
【０００１】
本発明は、マルチキャリア無線通信システムに関し、特に、マルチキャリアＯＦＤＭＡシステムの測定構成に関するものである。
【０００２】
関連出願の相互参照
本出願は、３５U.S.C.§１１９の下、２０１０年６月１７日に出願された米国特許仮出願番号第６１／３５５，６５７号「Measurement Configuration in the Multi-Carrier OFDMA Communication Systems,」からの優先権を主張するものであり、これらの全ては引用によって本願に援用される。
【背景技術】
【０００３】
直交周波数分割多重（Orthogonal Frequency Division Multiplexing；OFDM）は、キャリア間干渉からの障害なしで周波数選択性チャネルにおいて高い伝送速度を実行する効率的多重化スキームである。ＯＦＤＭシステム用により広い無線帯域幅を用いる２つの典型的な構造がある。従来のＯＦＤＭシステムでは、単一の無線周波数（ＲＦ）キャリアは、１つの広帯域の無線信号を搬送するように用いられ、マルチキャリアＯＦＤＭシステムでは、多重ＲＦキャリアは、より狭い帯域幅を有する複数の無線信号を搬送するように用いられる。マルチキャリアＯＦＤＭシステムは、例えばより良いスペクトル拡張（ｓｐｅｃｔｕｍ ｓｃａｌａｂｉｌｉｔｙ）、従来の単一キャリアのハードウェア設計のより良い再利用、よりフレキシブルな移動局のハードウェア、及びアップリンク伝送における、より低いピーク電力対平均電力比（Average Power Ratio；ＰＡＰＲ）など、従来のＯＦＤＭシステムに比べ、さまざまな利点を有する。よって、マルチキャリアＯＦＤＭシステムは、ＩＥＥＥ８０２.１６ｍＴＭ−２０１１および３ＧＰＰ Ｒｅｌｅａｓｅ１０（即ちＬＴＥ−Ａｄｖａｎｃｅｄシステム用）ドラフト標準のベースラインシステムアーキテクチャとなり、ＩＭＴ−ａｄｖａｎｃｅｄ（International Mobile Telecommunications-Advanced）のシステム要求を満たしている。
【０００４】
ロングタームエボリューション（ＬＴＥ）システムは、シンプルなネットワークアーキテクチャにより、高いピークデータレート、低遅延、改善されたシステム容量、および低い作業コストを提供する。ＬＴＥシステムは、例えばＧＳＭ（GSMは、スイス国ジーエスエム  ムー  アソシエイションの登録商標）、ＣＤＭＡ、およびユニバーサル移動体通信システム（ＵＭＴＳ）などの以前の無線ネットワークとのシームレスな統合も提供する。ＬＴＥシステムの性能向上は、ＩＭＴ−ａｄｖａｎｃｅｄ第４世代（４Ｇ）規格に適合する、または超えることができるように考慮されている。性能向上の鍵の１つは、最大１００ＭＨｚの帯域幅をサポートし、既存の無線ネットワークシステムとの後方互換性を保っていることである。キャリアアグリゲーション（ＣＡ）は、システムのスループットを改善するために導入されている。キャリアアグリゲーションにより、ＬＴＥ−Ａｄｖａｎｃｅｄ（ＬＴＥ−Ａ）システムは、ダウンリンク（ＤＬ）の１Ｇｂｐｓとアップリンク（ＵＬ）の５００Ｍｂｐｓを超えるピークターゲットデータレートをサポートすることができる。このような技術は、オペレーターに複数のより小さい連続的または非連続的なコンポーネントキャリア（ＣＣ）を集約させて、より大きなシステム帯域幅を提供することができ、且つ潜在ユーザーにコンポーネントキャリアの１つを用いてシステムにアクセスさせて後方互換性を提供することができるため、魅力的である。
【０００５】
ＬＴＥ／ＬＴＥ‐Ａシステムでは、発展型ユニバーサル地上波無線アクセスネットワーク（Ｅ−ＵＴＲＡＮ）は、ユーザー端末（ＵＥ）と呼ぶ複数の移動局と通信する複数の発展型ノードＢ（ｅＮＢｓ）を含む。一般的に、各ＵＥは、サービングセルと隣接セルの受信された信号品質を定期的に測定し、測定の結果を可能なハンドオーバーまたはセル再選択用にそのサービングｅＮＢに報告する必要がある。上述の測定は、ＵＥのバッテリー電力を消費する可能性がある。電力を節約するために、ＵＥの測定作業（ａｃｔｉｖｉｔｙ）を停止するパラメータ（例えばｓ‐Ｍｅａｓｕｒｅ）がＵＥの測定の頻度を減少するようにしばしば用いられる。
【０００６】
図１（従来技術）は、単一キャリアのＬＴＥシステム１０のｓ‐Ｍｅａｓｕｒｅ機構（ｍｅｃｈａｎｉｓｍ）を図示している。ＬＴＥシステム１０は、ＵＥ１１、サービングｅＮＢ１２、および２つの隣接ｅＮＢ１３およびｅＮＢ１４を含む。ＵＥ１１は、キャリア１（例えばサービングセル）を通してそのサービングｅＮＢ１２に接続される。ＬＴＥセルの信号強度の基準信号受信電力（ＲＳＲＰ）の測定は、移動管理の入力として異なるセル間の順位付けを助ける。例えば、ＵＥ１１は、そのサービングセルおよび２つの隣接セルのＲＳＲＰレベルを測定し、各セルの信号品質を測定する。測定は、ＵＥの電力を消費するため、各々のＵＥが常時隣接セルの信号品質を測定することは、効率的ではない。一般的に、サービングセルのＲＳＲＰレベルがｓ‐Ｍｅａｓｕｒｅで特定されたしきい値を超えた時、隣接セルの測定は必要がなくなるため、ＵＥは、隣接セルの信号品質の測定を停止する。
【０００７】
図２（従来技術）は、マルチキャリアＬＴＥシステム２０のｓ‐Ｍｅａｓｕｒｅ機構を図示している。ＬＴＥシステム２０は、ＵＥ２１、サービングｅＮＢ２２、および隣接ｅＮＢ２３とｅＮＢ２４を含む。キャリアアグリゲーションがサポートされている時、ＵＥは、サービングｅＮＢの異なるコンポーネントキャリア（ＣＣ）を通して複数のセルによってサーブされることができる。例えば、ＵＥ２１は、キャリア１（例えばプライマリコンポーネントキャリア（ＰＣＣ）上のプライマリサービングセル（Ｐｃｅｌｌ））によって、且つキャリア２および３（例えばセカンダリコンポーネントキャリア（ＳＣＣ）上のセカンダリサービングセル（Ｓｃｅｌｌ））によって、そのサービングｅＮＢ２２に接続される。図１に図示されたｓ‐Ｍｅａｓｕｒｅ機構と同様に、ｓ‐Ｍｅａｓｕｒｅ基準は、プライマリサービングセル（Ｐｃｅｌｌ）、即ちＰＣＣ上のサービングセルのＲＳＲＰレベルと関係している。ＬＴＥリリース８／９の原理に従って、Ｐｃｅｌｌの信号品質がｓ‐Ｍｅａｓｕｒｅのしきい値を超えた時、ＵＥ２１は、全てのＣＣ上の隣接セルの全ての測定を停止する。例えば、ＰｃｅｌｌのＲＳＲＰレベルがｓ‐Ｍｅａｓｕｒｅを超えた時、ＵＥ２１は、ＳＣＣ上のＣｃｅｌｌのＲＳＲＰレベルにかかわらず、隣接セルの測定を停止する。このようなｓ‐Ｍｅａｓｕｒｅ機構がキャリアアグリゲーションにおいて用いられる時、さまざまな問題が生じる。
【発明の概要】
【発明が解決しようとする課題】
【０００８】
マルチキャリアＯＦＤＭＡシステムの各種の測定構成およびｓ‐Ｍｅａｓｕｒｅを提供する。
【課題を解決するための手段】
【０００９】
第１の実施形態では、ユーザー端末（ＵＥ）は、プライマリコンポーネントキャリア（ＰＣＣ）上のプライマリサービングセル（Ｐｃｅｌｌ）の基準信号受信電力（ＲＳＲＰ）レベルを測定する。ＵＥは、ＲＳＲＰレベルとしきい値（例えば、ｓ‐Ｍｅａｓｕｒｅ）とを比較する。次いで、ＲＳＲＰレベルがｓ‐Ｍｅａｓｕｒｅ値より高い場合、ＵＥは、ｓ‐Ｍｅａｓｕｒｅ機構を有効にし、全てのＣＣ上の隣接セルの測定を停止する。ＵＥは、セカンダリコンポーネントキャリア（ＳＣＣ）上の構成されたセカンダリセル（Ｓｃｅｌｌ）のＲＳＲＱ／ＲＳＲＰレベルも監視してＳｃｅｌｌの信号品質を得る。ＵＥは、Ｓｃｅｌｌの信号品質がしきい値より低い時、またはＳｃｅｌｌの干渉が検出された時、ｓ‐Ｍｅａｓｕｒｅ機構を無効にする。ＵＥは、全てのＣＣ上の隣接セルの測定を開始する。
【００１０】
もう１つの実施形態では、ＵＥは、Ｓｃｅｌｌの信号品質がしきい値より低い時、またはＳｃｅｌｌの干渉が検出された時、ｓ‐Ｍｅａｓｕｒｅ機構を無効にする。ＵＥは、ＳＣＣ上の隣接セルの測定を開始する。ＵＥは、フェムトセルで用いられるキャリア周波数上のｓ‐Ｍｅａｓｕｒｅ機構を無効にし、キャリア周波数上の隣接セルの測定を開始することもできる。ＳＣＣ追加用の構成されていないＣＣを検出する必要がある時、ＵＥは、構成されていないＣＣ上のｓ‐Ｍｅａｓｕｒｅ機構を無効にし、構成されていないＣＣ上の隣接セルの測定を開始する。
【００１１】
第３の実施形態では、ＵＥは、ＳＣＣ上のＳｃｅｌｌの第２のＲＳＲＰレベルを測定する。ＵＥは、第２のＲＳＲＰレベルと同じｓ‐Ｍｅａｓｕｒｅ値とを比較する。ＲＳＲＰレベルおよび第２のＲＳＲＰレベルの両方がｓ‐Ｍｅａｓｕｒｅ値より高い場合、ＵＥは、ｓ‐Ｍｅａｓｕｒｅ機構を有効にし、全てのＣＣ上の隣接セルの測定を停止する。一方では、ＲＳＲＰレベルまたは第２のＲＳＲＰレベルのいずれかがｓ‐Ｍｅａｓｕｒｅ値より低い時、ＵＥは、ｓ‐Ｍｅａｓｕｒｅ機構を無効にする。次いで、ＵＥは、全てのＣＣ上の隣接セルの測定を開始する。
【００１２】
第４の実施形態では、ユーザー端末（ＵＥ）は、プライマリコンポーネントキャリア（ＰＣＣ）上のプライマリサービングセル（Ｐｃｅｌｌ）の第１の基準信号受信電力（ＲＳＲＰ）レベルを測定する。ＵＥは、セカンダリコンポーネントキャリア（ＳＣＣ）上のセカンダリサービングセル（Ｓｃｅｌｌ）の第２の基準信号受信電力（ＲＳＲＰ）レベルも測定する。ＵＥは、第１のＲＳＲＰレベルと第１のｓ‐Ｍｅａｓｕｒｅ値とを比較し、第２のＲＳＲＰレベルと第２のｓ‐Ｍｅａｓｕｒｅ値とを比較する。次いで、ＵＥは、第１のＲＳＲＰレベルが第１のｓ‐Ｍｅａｓｕｒｅ値より高い場合、ｓ‐Ｍｅａｓｕｒｅ機構を有効にし、ＰＣＣ上の隣接セルの測定を停止する。ＵＥは、第２のＲＳＲＰレベルが第２のｓ‐Ｍｅａｓｕｒｅ値より高い場合、ｓ‐Ｍｅａｓｕｒｅ機構を有効にし、ＳＣＣ上の隣接セルの測定を停止する。独立したｓ‐Ｍｅａｓｕｒｅ機構および独立したｓ‐Ｍｅａｓｕｒｅ値を有することで、最大の柔軟性が達成される。
【００１３】
他の実施形態及びそれらの利点が以下に詳細に説明される。この概要は、説明を限定するものではない。本発明は請求項によって限定される。
【図面の簡単な説明】
【００１４】
添付の図面は、本発明の実施形態を示しており、同一の番号は同一の要素を指している。
【図１】図１は、（従来技術）単一キャリアのＬＴＥシステムのｓ‐Ｍｅａｓｕｒｅ機構を図示している。
【図２】図２は、（従来技術）は、マルチキャリアＬＴＥシステムのｓ‐Ｍｅａｓｕｒｅ機構を図示している。
【図３】図３は、１つの新しい態様に基づいたマルチキャリアＬＴＥ／ＬＴＥ−Ａシステムのｓ‐Ｍｅａｓｕｒｅ機構を図示している。
【図４】図４は、１つの新しい態様に基づいた測定構成のＵＥおよびｅＮＢの簡略ブロック図である。
【図５】図５は、ｓ‐Ｍｅａｓｕｒｅ機構を用いた構成されたＳｃｅｌｌの監視の問題および解決法を図示している。
【図６】図６は、ｓ‐Ｍｅａｓｕｒｅ機構を用いたフェムトセルの検出の問題および解決法を図示している。
【図７】図７は、ｓ‐Ｍｅａｓｕｒｅ機構を用いた構成されていないＣＣにおけるフェムトセルの検出の問題および解決法を図示している。
【図８】図８は、ｓ‐Ｍｅａｓｕｒｅ機構を用いたＳＣＣ管理（例えば、ＳＣＣ追加）の問題および解決法を図示している。
【図９】図９は、ｓ‐Ｍｅａｓｕｒｅ機構を用いた異質（ｈｅｔｅｒｏｇｅｎｅｏｕｓ）ネットワークにおけるＳＣＣ管理（例えば、ＳＣＣ追加）の問題および解決法を図示している。
【図１０】図１０は、ｓ‐Ｍｅａｓｕｒｅ機構を用いたＵＥの測定構成の第１の解決法のフローチャートである。
【図１１】図１１は、ｓ‐Ｍｅａｓｕｒｅ機構を用いたＵＥの測定構成の第２の解決法のフローチャートである。
【図１２】図１２は、ｓ‐Ｍｅａｓｕｒｅ機構を用いたＵＥの測定構成の第３の解決法のフローチャートである。
【図１３】図１３は、ｓ‐Ｍｅａｓｕｒｅ機構を用いたＵＥの測定構成の第４の解決法のフローチャートである。
【発明を実施するための形態】
【００１５】
本発明のいくつかの実施形態を詳細に説明する。その例が添付の図面に示されている。
【００１６】
図３は、１つの新しい態様に基づいたマルチキャリアＬＴＥ／ＬＴＥ−Ａシステム３０のｓ‐Ｍｅａｓｕｒｅ機構を図示している。ＬＴＥ／ＬＴＥ−Ａシステムでは、発展型ユニバーサル地上波無線アクセスネットワーク（Ｅ−ＵＴＲＡＮ）は、ユーザー端末（ＵＥ）と呼ぶ複数の移動局と通信する複数の発展型ノードＢ（ｅＮＢｓ）を含む。マルチキャリアＬＴＥ／ＬＴＥ−Ａシステム３０は、ＵＥ３１、サービングｅＮＢ３２、および２つの隣接ｅＮＢ３３およびｅＮＢ３４を含む。キャリアアグリゲーションがサポートされている時、ＵＥは、サービングｅＮＢの異なるコンポーネントキャリア（ＣＣ）上の複数のセルによってサーブされることができる。例えば、ＵＥ３１は、プライマリコンポーネントキャリア１（例えば、ＰＣＣ上のプライマリサービングセル（Ｐｃｅｌｌ））を通してｅＮＢ３２によってサーブされる。ＵＥ３１は、セカンダリコンポーネントキャリア２、３、および４（例えば、ＳＣＣ上のセカンダリサービングセル（Ｓｃｅｌｌ））を通してｅＮＢ３２によってサーブされる。ＬＴＥセルの信号強度の基準信号受信電力（ＲＳＲＰ）の測定は、移動管理の入力として異なるセル間の順位付けを助ける。ＲＳＲＰは、全ての帯域幅にあるセル固有基準信号を搬送する全てのリソース要素の電力の平均値である。ＲＳＲＰは、セル固有基準信号を搬送するＯＦＤＭ符号で測定されることができる。例えば、ＵＥ３１は、ＰｃｅｌｌのＲＳＲＰレベルを測定し、Ｐｃｅｌｌの信号品質を測定する。また、ＵＥ３１は、隣接セルのＲＳＲＰを測定して隣接セルの信号品質を測定する必要がある。Ｅ−ＵＴＲＮＡＮ測定イベント（例えばＡ１〜Ａ６）は、測定結果に基づいてｅＮＢ３２に報告されることができる。これにより、ｅＮＢ３２は、適切なコンポーネントキャリア（ＣＣ）管理およびハンドオーバー決定をすることができる。
【００１７】
ＬＴＥセルの信号強度の基準信号受信電力（ＲＳＲＰ）の測定は、移動管理の入力として異なるセル間の順位付けを助ける。ＲＳＲＰは、全ての帯域幅にあるセル固有基準信号を搬送する全てのリソース要素の電力の平均値である。ＲＳＲＰは、セル固有基準信号を搬送するＯＦＤＭ符号で測定されることができる。例えば、ＵＥ３１は、ＰｃｅｌｌのＲＳＲＰレベルを測定し、Ｐｃｅｌｌの信号品質を測定する。また、ＵＥ３１は、隣接セルのＲＳＲＰを測定して隣接セルの信号品質を測定する必要がある。Ｅ−ＵＴＲＮＡＮ測定イベント（例えばＡ１〜Ａ６）は、測定結果に基づいてｅＮＢ３２に報告されることができる。これにより、ｅＮＢ３２は、適切なコンポーネントキャリア（ＣＣ）管理およびハンドオーバー決定をすることができる。
【００１８】
測定作業は、ＵＥの電力を消耗するため、各々のＵＥが常時隣接セルの信号品質を測定することは、効率的ではない。例えば、一般的なｓ−Ｍｅａｓｕｒｅ機構において、ＰｃｅｌｌセルのＲＳＲＰレベルが所定値（例えばｓ‐Ｍｅａｓｕｒｅ）で特定されたしきい値を超えた時、隣接セルの測定は必要がなくなるため、ＵＥは、隣接セルの信号品質の測定を停止する。しかしながら、キャリアアグリゲーションにより、ＰＣＣ上のＰｃｅｌｌの信号品質は、ＳＣＣ上のＳｃｅｌｌの信号品質なほど限定的でない。ＳＣＣ管理（例えば、Ｓｃｅｌｌ追加）では、構成されていないＣＣの信号品質も考慮される必要がある。
【００１９】
１つの新しい態様に基づいて、各コンポーネントキャリア（ＣＣ）は、その特有のｓ‐Ｍｅａｓｕｒｅｍｅｎｔ基準を有することができる。図３に示されるように、ｓ‐Ｍｅａｓｕｒｅしきい値は、ＰＣＣ（Ｐｃｅｌｌ）、ＳＣＣ＃１（Ｓｃｅｌｌ＃１）、ＳＣＣ＃２（Ｓｃｅｌｌ＃２）、およびＳＣＣ＃３（Ｓｃｅｌｌ＃３）用にａ、ｂ、ｃ、およびｄとなるようにそれぞれ設定される。一般概念では、ＵＥ３１は、その対応のＣＣ上の各サービングセルの受信された信号品質を測定する。次いで、ＵＥ３１は、各サービングセルの受信された信号品質と対応のｓ‐Ｍｅａｓｕｒｅしきい値とを比較し、対応のＣＣ上の隣接セルに対して測定作業を停止するかどうか測定する。例えば、ＵＥ３１は、ＰｃｅｌｌのＲＳＲＰレベルとそのｓ‐Ｍｅａｓｕｒｅしきい値ａとを比較する。ＲＳＲＰレベルがしきい値を超えた時、ＵＥ３１は、ＰＣＣ上の隣接セルの測定作業を停止する。同様に、ＵＥ３１は、Ｓｃｅｌｌ＃１のＲＳＲＰレベルとそのｓ‐Ｍｅａｓｕｒｅしきい値ｂとを比較する。仮にＲＳＲＰレベルがしきい値を超えた時、ＵＥ３１は、ＳＣＣ＃１上の隣接セルの測定作業を停止するなどである。ｓ‐Ｍｅａｓｕｒｅ値は、ＣＣ間で異なることができるか、またはＰＣＣ上のｓ‐Ｍｅａｓｕｒｅ値と同じであることができる。また、各ＣＣ上のｓ‐Ｍｅａｓｕｒｅ機構は、個別に有効または無効にされることができる。独立したｓ‐Ｍｅａｓｕｒｅ機構と独立したｓ‐Ｍｅａｓｕｒｅしきい値を有することで、最大の柔軟性を得ることができる。
【００２０】
図４は、１つの新しい態様に基づいた測定構成のＵＥおよびｅＮＢの簡略ブロック図である。ＵＥ３１は、メモリ３５、プロセッサ３６、測定モジュール３７、およびアンテナ３９に接続されたＲＦモジュール３８を含む。同様に、ｅＮＢ３２は、メモリ４５、プロセッサ４６、測定モジュール４７、およびアンテナ４９に接続されたＲＦモジュール４８を含む。また、複数のＲＦモジュールおよび複数のアンテナは、マルチキャリア伝送に用いられることができる。キャリアアグリゲーションのシナリオでは、測定される、異なるキャリア周波数は、測定対象（ｏｂｊｅｃｔ）によって定められる。測定対象は、各々の構成されたＣＣに設定され、そのＣＣ上の隣接セルを測定することができる。測定対象は、構成されていないＣＣに設定され、そのＣＣ上の隣接ＣＣを測定することもできる。図４の例では、表４０は、４つのＣＣ上の４つの測定対象で定められた４つの対象のＩＤをリストする。電力消費を節約し、且つ柔軟性を得るために、ＵＥ３１の各測定対象のｓ‐Ｍｅａｓｕｒｅ機構およびｓ‐Ｍｅａｓｕｒｅしきい値は、個別に無効または有効にされて構成されることができる。
【００２１】
以下、さまざまなシナリオ、問題、および可能な解決法に対し、ＬＴＥシステムのキャリアアグリゲーションにおけるｓ‐Ｍｅａｓｕｒｅ機構および構成がどのように用いられるかが説明される。
【００２２】
図５（Ａ）および図５（Ｂ）は、ｓ‐Ｍｅａｓｕｒｅ機構を用いた構成されたＳｃｅｌｌの監視の問題および解決法を図示している。図５（Ａ）では、ＵＥ５１は、そのサービングｅＮＢ５２のプライマリサービングセル（ＣＣ１上のＰｃｅｌｌ）およびセカンダリサービングセル（ＣＣ２上のＳｃｅｌｌ）のセル被覆領域に配置される。ＵＥ５１がＳｃｅｌｌ境界を移動する時、Ｓｃｅｌｌの信号品質は、低下し始め、Ｐｃｅｌｌの信号品質は、高いままである。図５（Ｂ）は、ＵＥの位置に基づくＰｃｅｌｌおよびＳｃｅｌｌのＲＳＲＰレベルを図示している。図５（Ｂ）の例では、ＵＥ５１が点線の影部分で表された位置に移動した時、ＰｃｅｌｌのＲＳＲＰレベルは、ｓ‐Ｍｅａｓｕｒｅしきい値を超えたままである。しかしながら、ＳｃｅｌｌのＲＳＲＰレベルは、ｓ‐Ｍｅａｓｕｒｅしきい値以下である。Ｓｃｅｌｌの信号品質の低下は、通信品質に影響するか、またはスループットを減少させる。また、Ｓｃｅｌｌの信号品質の低下が検出できない場合、Ｓｃｅｌｌのハンドオーバーは時間内に触発されることができない。よって、Ｐｃｅｌｌの品質がｓ‐Ｍｅａｓｕｒｅしきい値を超える時でも、ＵＥ５１は、Ｓｃｅｌｌの品質を知ることが望ましい。
【００２３】
１つの新しい態様に基づいて、ＵＥ５１は、Ｓｃｅｌｌの品質を得て、且つそれに応じてｓ‐Ｍｅａｓｕｒｅ機構を構成する。例えば、ＵＥ５１は、構成されたセルのＲＳＲＱ／ＲＳＲＰレベルを監視してＳｃｅｌｌの信号品質を得る。第１の解決法では、Ｓｃｅｌｌの品質がしきい値より低い時、ＵＥ５１は、単にｓ‐Ｍｅａｓｕｒｅ機構を無効にし、全てのＣＣ上の隣接セルの全ての測定を開始する。第２の解決法では、Ｓｃｅｌｌの品質がしきい値より低い時、ＵＥ５１は、Ｓｃｅｌｌに対応している測定対象上のｓ‐Ｍｅａｓｕｒｅ機構を除外し、除外された測定対象上の隣接セルの測定を開始する。第３の解決法では、ＵＥ５１は、Ｓｃｅｌｌの品質とＰｃｅｌｌの品質を測定し、セルの中の１つが同じｓ‐Ｍｅａｓｕｒｅしきい値より低い時、全てのＣＣ上の隣接セルの全ての測定を開始する。第４の解決法では、ＵＥ５１は、Ｓｃｅｌｌの品質とＰｃｅｌｌの品質を測定するが、ＰｃｅｌｌとＳｃｅｌｌの単独のｓ‐Ｍｅａｓｕｒｅしきい値を用いて、単独に有効／無効にし、ｓ‐Ｍｅａｓｕｒｅ機構を触発する。
【００２４】
図６（Ａ）および図６（Ｂ）は、ｓ‐Ｍｅａｓｕｒｅ機構を用いたフェムトセルの検出の問題および解決法を図示している。図６（Ａ）では、ＵＥ６１は、そのサービングｅＮＢ６２のプライマリサービングセル（ＣＣ１上のＰｃｅｌｌ）およびセカンダリサービングセル（ＣＣ２上のＳｃｅｌｌ）のセル被覆領域に配置される。ＣＣ１およびＣＣ２のセル被覆領域内では、フェムトセルもＣＣ２と同じキャリア周波数上でｆｅｍｔｏ ｅＮＢ６３によって展開される。ＵＥ６１がフェムトセルを通過して移動する時、フェムトセルの信号は、強くなり、ＰｃｅｌｌおよびＳｃｅｌｌの信号品質は、高いままである。図６（Ｂ）は、ＵＥの位置に基づくＰｃｅｌｌ、Ｓｃｅｌｌ、およびのＲＳＲＰレベルを図示している。図６（Ｂ）の例では、ＵＥ６１が点線の影部分で表された位置に移動した時、ＰｃｅｌｌおよびＳｃｅｌｌの両方のＲＳＲＰレベルは、ｓ‐Ｍｅａｓｕｒｅしきい値を超えたままである。しかしながら、ＳｃｅｌｌのＲＳＲＰレベルも非常に強く、マクロセルおよびフェムトセル間に大きな干渉を招く。よって、Ｐｃｅｌｌ／Ｓｃｅｌｌの品質がｓ‐Ｍｅａｓｕｒｅしきい値を超える時でも、ＵＥ６１は、フェムトセルを検出し、Ｓｃｅｌｌとフェムトセル間の干渉を防ぐことが望ましい。注意するのは、説明のためにフェムトセルが用いられているが、同様の問題が限定加入者グループ（ＣＳＧセル）にも当てはまる。
【００２５】
１つの新しい態様に基づいて、ＵＥ６１は、Ｓｃｅｌｌの干渉を検出し、且つそれに応じてｓ‐Ｍｅａｓｕｒｅ機構を構成する。例えば、ＵＥ６１は、構成されたセルのＲＳＲＱ／ＲＳＲＰレベルを監視してＳｃｅｌｌの干渉を検出する。第１の解決法では、ＵＥ６１は、干渉の検出のためにＳｃｅｌｌのリンク品質報告を監視する。ＬＴＥ／ＬＴＥ‐Ａシステムでは、リンク品質報告は、ＲＳＲＱ／ＲＳＲＰまたはチャネル品質指示（ＣＱＩ）報告であることができる。Ｓｃｅｌｌの干渉が高い時、ＵＥ６１は、単にｓ‐Ｍｅａｓｕｒｅ機構を無効にし、全てのＣＣ上の隣接セルの全ての測定を開始する。第２の解決法では、ＵＥ６１は、干渉の検出のためにＳｃｅｌｌのＲＳＲＱ／ＲＳＲＰまたはＣＱＩ報告を監視する。Ｓｃｅｌｌの干渉が高い時、ＵＥ６１は、Ｓｃｅｌｌに対応している測定対象上のｓ‐Ｍｅａｓｕｒｅ機構を除外し、除外された測定対象上の隣接セルの測定を開始する。第３の解決法では、ＵＥ６１は、干渉の検出のためにＳｃｅｌｌのＣＱＩ報告を監視し、干渉が検出された時、全てのＣＣ上の隣接セルの全ての測定を開始する。第４の解決法では、ｅＮＢ６２は、ＵＥ５１を特定のｓ‐Ｍｅａｓｕｒｅ値に構成し、ＣＣ２上のフェムトセルの検出を容易にするか、または、Ｓｃｅｌｌの干渉が検出された時、単にＣＣ２上のｓ‐Ｍｅａｓｕｒｅ機構を無効にする。
【００２６】
図７（Ａ）および図７（Ｂ）は、ｓ‐Ｍｅａｓｕｒｅ機構を用いた構成されていないＣＣにおけるフェムトセルの検出の問題および解決法を図示している。図７（Ａ）では、ＵＥ７１は、そのサービングｅＮＢ７２のプライマリサービングセル（ＣＣ１上のＰｃｅｌｌ）およびセカンダリサービングセル（ＣＣ２上のＳｃｅｌｌ）のセル被覆領域に配置される。ＣＣ１およびＣＣ２のセル被覆領域内では、フェムトセルもＵＥ７１用の構成されていないＣＣである、キャリア周波数ＣＣ３上でｆｅｍｔｏ ｅＮＢ７３によってサーブされる。ＵＥ７１がフェムトセルを通過して移動する時、フェムトセルの信号は、強くなり、ＰｃｅｌｌおよびＳｃｅｌｌの信号品質は、高いままである。図７（Ｂ）は、ＵＥの位置に基づくＰｃｅｌｌ、Ｓｃｅｌｌ、およびのＲＳＲＰレベルを図示している。図７（Ｂ）の例では、ＵＥ７１が点線の影部分で表された位置に移動した時、ＰｃｅｌｌおよびＳｃｅｌｌの両方のＲＳＲＰレベルは、ｓ‐Ｍｅａｓｕｒｅしきい値を超えたままである。しかしながら、ＳｃｅｌｌのＲＳＲＰレベルも非常に強い。一般的に、オープンフェムトセルがオーバーレイマクロセルで用いられない周波数に用いられる時、ＵＥは、フェムトセルを検出してフェムトセルにハンドオーバーし、マクロｅＮＢからのトラフィックをオフロードすることができ、伝送電力を減少して電力を節約する。よって、Ｐｃｅｌｌ／Ｓｃｅｌｌの品質がｓ‐Ｍｅａｓｕｒｅしきい値を超える時でも、ＵＥ７１は、フェムトセルを検出できることが望ましい。
【００２７】
１つの新しい態様に基づいて、ＵＥ７１は、Ｓｃｅｌｌの干渉を検出し、且つそれに応じてｓ‐Ｍｅａｓｕｒｅ機構を構成することができる。第１の解決法では、ＵＥ７１がフェムトセルの近くにある時、ＵＥ７１は単にｓ‐Ｍｅａｓｕｒｅ機構を無効にし、全てのＣＣ上の隣接セルの全ての測定を開始する。第２の解決法では、ＵＥ７１がフェムトセルの近くにある時、ＵＥ７１は、フェムトセルで用いられる周波数に対応している測定対象上のｓ‐Ｍｅａｓｕｒｅ機構を除外し、除外された測定対象上の隣接セルの測定を開始する。第３の解決法では、ｅＮＢ７２は、ＵＥ７１にｓ‐Ｍｅａｓｕｒｅ機構を無効にするように明確に指示し、全てのＣＣ上の隣接セルの全ての測定を開始する。最後に、第４の解決法では、フェムトセルで用いられる周波数でｓ‐Ｍｅａｓｕｒｅ機構が無効にされるか、またはｓ‐Ｍｅａｓｕｒｅ機構が構成され、フェムトセルの検出を容易にする特定のｓ‐Ｍｅａｓｕｒｅ値を有する。
【００２８】
図８（Ａ）、図８（Ｂ）および図８（Ｃ）は、ｓ‐Ｍｅａｓｕｒｅ機構を用いたＳＣＣ管理（例えば、ＳＣＣ追加）の問題および解決法を図示している。図８（Ａ）および図８（Ｃ）では、ＳＣＣは、ＰＣＣより小さい被覆領域を有し、ＳＣＣは、構成されていない。図８（Ｂ）では、ＳＣＣの被覆領域は、ＰＣＣの被覆領域と異なり、ＳＣＣは、構成されていない。一般的には、Ｐｃｅｌｌの品質がｓ‐Ｍｅａｓｕｒｅしきい値を超える時でも、ＵＥは、新しいＳＣＣ追加用に可能なＳｃｅｌｌを検出できることが望ましい。
【００２９】
１つの新しい態様に基づき、ＵＥは、新しいＳＣＣ追加用に可能なＳｃｅｌｌを検出でき、且つ対応してそのｓ‐Ｍｅａｓｕｒｅ機構を構成する。第１の解決法では、新しいＳＣＣを検出する必要がある時、またはそのソースｅＮＢで指示される時、ＵＥは単にｓ‐Ｍｅａｓｕｒｅ機構を無効にし、全てのＣＣ上の隣接セルの全ての測定を開始する。第２の解決法では、新しいＳＣＣを検出する必要がある時、またはそのソースｅＮＢで指示される時、ＵＥは、構成されていないＳＣＣに対応している測定対象上のｓ‐Ｍｅａｓｕｒｅ機構を除外し、除外された測定対象上の隣接セルの測定を開始する。第３の解決法では、全てのサービングセルがｓ‐Ｍｅａｓｕｒｅ値を超える場合、ｅＮＢは、ＵＥに全てのＣＣ上の隣接セルの測定を行うように指示し、必要ならば、新しい候補ＣＣを検出させることができる。第４の解決法では、ｅＮＢは、異なるＣＣ上で異なるｓ‐Ｍｅａｓｕｒｅ値を構成し、各ＣＣ上のＳＣＣ管理を容易にする。例えば、構成されていないＣＣ上のｓ‐Ｍｅａｓｕｒｅは、単独に無効にされて新しい候補ＣＣ上の隣接セルの測定をさせることができる。また、ｅＮＢは、新しいＳＣＣを加える必要がある時、ＵＥに構成されていないＣＣに対して測定を行うように明確に指示することができる。
【００３０】
図９（Ａ）および図９（Ｂ）は、ｓ‐Ｍｅａｓｕｒｅ機構を用いた異質（ｈｅｔｅｒｏｇｅｎｅｏｕｓ）ネットワーク９０におけるＳＣＣ管理（例えば、ＳＣＣ追加）の問題および解決法を図示している。ネットワーク９０は、マクロｅＮＢ９１、マクロｅＮＢ９２、ピコｅＮＢ９３、およびピコＵＥ９４を含む。マクロｅＮＢ９１は、マクロセルでＵＥ９２をサーブし、ピコｅＮＢ９３は、マクロセルの被覆領域内でピコセルにＵＥ９４をサーブする。ピコＵＥ９４がピコセルのセル領域延伸（ｃｅｌｌ ｒｅｇｉｏｎ ｅｘｔｅｎｓｉｏｎ；ＣＲＥ）に配置された時、ＵＥ９４は、制限された送信機会、例えばＡＢＳ（ａｌｍｏｓｔ ｂｌａｎｋ ｓｕｂｆｒａｍｅ）でサーブされる。図９（Ｂ）に表されるように、マクロｅＮＢ９１は、ピコＣＲＥセルでＡＢＳ（例えば、サブフレームｐ＋１の空白（ｅｍｐｔｙ）制御およびデータ）を伝送する。ＵＥ９４では、ｓ‐Ｍｅａｓｕｒｅ機構がピコＣＲＥセルに構成された時、測定結果は、常にｓ‐Ｍｅａｓｕｒｅ値より高く、隣接セルの測定は無効にされる。これは、可能なＳｃｅｌｌの更なる追加を防ぐ。Ｓｓｅｌｌの支援なく、ＵＥ９４のスループットは、ＡＢＳの構成に従って制限されることができる。
【００３１】
１つの新しい態様に基づき、ＵＥ９４は、ＳＣＣ追加用に可能なＳｃｅｌｌを検出でき、且つ対応してそのｓ‐Ｍｅａｓｕｒｅ機構を構成する。第１の解決法では、ＵＥ９４がＣＲＥでサーブされる時、またはそのソースｅＮＢで指示される時、ＵＥ９４は単にｓ‐Ｍｅａｓｕｒｅ機構を無効にし、全てのＣＣ上の隣接セルの全ての測定を開始する。第２の解決法では、ＵＥ９４がＣＲＥでサーブされる時、またはそのソースｅＮＢで指示される時、ＵＥ９４は、構成されていないＳＣＣに対応している測定対象上のｓ‐Ｍｅａｓｕｒｅ機構を除外し、除外された測定対象上の隣接セルの測定を開始する。第３の解決法では、全てのサービングセルがｓ‐Ｍｅａｓｕｒｅ値を超える場合、ｅＮＢは、ＵＥに全てのＣＣ上の隣接セルの測定を行うように指示し、必要ならば、新しい候補ＣＣを検出させることができる。第４の解決法では、ｅＮＢは、ＡＢＳのその自身の構成に基づいて異なるｓ‐Ｍｅａｓｕｒｅ値を構成することができる。例えば、構成されていないＣＣ上のｓ‐Ｍｅａｓｕｒｅは、単独に無効にされて新しい候補ＣＣ上の隣接セルの測定をさせることができる。また、ｅＮＢは、新しいＳＣＣを加える必要がある時、ＵＥに構成されていないＣＣに対して測定を行うように明確に指示することができる。
【００３２】
種々のｓ‐Ｍｅａｓｕｒｅ構成の解決法では、各々の解決法が上述の問題を克服するように測定構成の方法のフローチャートとして例示される。
【００３３】
図１０は、ｓ‐Ｍｅａｓｕｒｅ機構を用いたＵＥの測定構成の第１の解決法のフローチャートである。ステップ１０１では、ＵＥは、Ｐｃｅｌｌ上の受信した信号品質（例えばＲＳＲＰ）を測定する。ステップ１０２では、Ｐｃｅｌｌの信号品質がそのｓ‐Ｍｅａｓｕｒｅしきい値と比較される。ステップ１０３では、Ｐｃｅｌｌの品質が良くない（即ち、ＰｃｅｌｌのＲＳＲＰレベルがｓ‐Ｍｅａｓｕｒｅしきい値以下である）時、ＵＥは、全てのＣＣ上の隣接セルの測定を開始、または継続する。一方では、ステップ１０４では、Ｐｃｅｌｌの品質が良い（即ち、ＰｃｅｌｌのＲＳＲＰレベルがｓ‐Ｍｅａｓｕｒｅしきい値以上である）時、ＵＥは、全てのＣＣ上の隣接セルの測定を停止する。
【００３４】
Ｐｃｅｌｌの品質だけがこのｓ‐Ｍｅａｓｕｒｅ機構に用いられるが、ＵＥは、全ての構成されたＳｃｅｌｌのＲＳＲＱ／ＲＳＲＰの監視を継続する。得られたＳｃｅｌｌの品質に基づいて、ＵＥは、図５（Ａ）および図５（Ｂ）に述べられた、Ｓｃｅｌｌ信号の低下の問題を検出することができる。ＵＥは、図６（Ａ）および図６（Ｂ）に述べられた、フェムトセルによって生じたＳｃｅｌｌの干渉も検出することができる。ＬＴＥ／ＬＴＥ‐Ａシステムの１つの実施形態では、ＵＥは、測定イベントＡ１およびＡ２を触発することでＰｃｅｌｌおよびＳｃｅｌｌの測定結果を報告する。測定報告を参考に、サービングｅＮＢは、ＵＥに隣接セルを測定するように命令することができる。即ち、Ｓｃｅｌｌ信号の低下またはＳｃｅｌｌの干渉が検出されると、ＵＥは、全てのＣＣ上の隣接セルの測定を開始することができる。
【００３５】
この第1の解決法は、Ｐｃｅｌｌの品質がｓ‐Ｍｅａｓｕｒｅ値を超えたままである時、ＳＣＣに対して隣接セルのいくつかの測定機会をなくす可能性がある。上述の改善に取って代わるものの1つは、相対的に高いｓ‐Ｍｅａｓｕｒｅしきい値を設定し、Ｓｃｅｌｌ周波数で測定を行うように、より多くの機会を与えることである。しかしながら、高値のｓ‐Ｍｅａｓｕｒｅの設定は、より不必要な測定とより高いＵＥの電力消費を招く。
【００３６】
図１１は、ｓ‐Ｍｅａｓｕｒｅ機構を用いたＵＥの測定構成の第２の解決法のフローチャートである。ｓ‐Ｍｅａｓｕｒｅ機構が有効にされた後、Ｐｃｅｌｌの信号品質がｓ‐Ｍｅａｓｕｒｅしきい値に達した時、隣接セルの全ての周波数に対する測定は、停止される。また、除外機構が第２の解決法に導入され、特定の測定対象を除外し、これらの周波数上の隣接セルの測定が行われる。図１１は、特定のキャリア周波数（測定対象）がｓ‐Ｍｅａｓｕｒｅ機構から除外される制御フローを図示している。ステップ１１１では、ＵＥは、Ｐｃｅｌｌ上の受信した信号品質（例えばＲＳＲＰ）を測定する。ステップ１１２では、Ｐｃｅｌｌの信号品質がそのｓ‐Ｍｅａｓｕｒｅしきい値と比較される。ステップ１１３では、Ｐｃｅｌｌの品質が良くない時（即ち、ＰｃｅｌｌのＲＳＲＰレベルがｓ‐Ｍｅａｓｕｒｅしきい値以下である）、ＵＥは、全てのＣＣ上の隣接セルの測定を開始、または継続する。ステップ１１４では、そうでない場合、Ｐｃｅｌｌの品質が良い時（即ち、ＰｃｅｌｌのＲＳＲＰレベルがｓ‐Ｍｅａｓｕｒｅしきい値以上である）、ＵＥは、全ての構成された測定対象を順に処理し、構成された測定対象がまだあるか判断する。ｓ‐Ｍｅａｓｕｒｅ機構から除外された測定対象では（ステップ１１５）、この周波数の隣接セルの測定がステップ１１６で継続される。除外リストに入っていない他の測定対象では、この周波数の隣接セルの測定は、ステップ１１７で停止される。
【００３７】
解決法１と比較すると、解決法２では、Ｓｃｅｌｌ信号の低下またはＳｃｅｌｌの干渉が検出された時、ＵＥは、全てのＣＣ上の隣接セルの測定を開始することがない。その代わり、検出されたＳｃｅｌｌに対応する測定対象だけが、ｓ‐Ｍｅａｓｕｒｅ機構から除外される。そうでなければ、Ｐｃｅｌｌの品質がｓ‐Ｍｅａｓｕｒｅを超えた時、かつＳｃｅｌｌの品質が低下または干渉された時、ＵＥは、検出されたＳｃｅｌｌ（ｓ‐Ｍｅａｓｕｒｅから除外されている）の隣接セルの測定を継続するが、他のＣＣ（ｓ‐Ｍｅａｓｕｒｅから除外されていない）の隣接セルの測定を停止する。また、解決法２において、ｓ‐Ｍｅａｓｕｒｅ機構は、新しいＣＣを追加する必要がある時、フェムトセルを用いた周波数または構成されていないＣＣで除外される（無効にされる）ことができる。ｓ‐Ｍｅａｓｕｒｅ機構はＵＥがＣＲＥでサーブされた時も、除外される（無効にされる）ことができる。よって、図７、図８および図９で例示された問題は、より効果的に解決されることができる。
【００３８】
図１２は、ｓ‐Ｍｅａｓｕｒｅ機構を用いたＵＥの測定構成の第３の解決法のフローチャートを図示している。図１２は、改善されたｓ‐Ｍｅａｓｕｒｅ機構を図示しており、ｓ‐Ｍｅａｓｕｒｅ基準は、サービングＰｃｅｌｌおよびＳｃｅｌｌの両方に用いられる。ステップ１２１では、ＵＥは、ＰｃｅｌｌおよびＳｃｅｌｌを含む全てのセルの信号品質を測定する。ステップ１２２では、セル（ＰｃｅｌｌまたはＳｃｅｌｌ）の信号品質は、同じｓ‐Ｍｅａｓｕｒｅしきい値と比較される。セルの品質がしきい値を超えた時、ＵＥは、全てのＣＣ上の隣接セルの測定を停止する。そうでなければ、ステップ１２３では、少なくとも１つのセルの品質がしきい値以下である場合、全てのＣＣ上の隣接セルの測定が開始される、または継続される。
【００３９】
第３の解決法において、Ｓｃｅｌｌの品質は、連続的に測定されて比較されるため、ＵＥは、図５（Ａ）および５（Ｂ）に述べられた、Ｓｃｅｌｌ信号の低下の問題を検出することができる。ＵＥは、図６（Ａ）および図６（Ｂ）に述べられた、フェムトセルによって生じたＳｃｅｌｌの干渉も検出することができる。Ｓｃｅｌｌ信号の低下またはＳｃｅｌｌの干渉が検出されると、ＵＥは、単に全てのＣＣ上の隣接セルの測定を開始する。注意するのは、ｅＮＢの関与（ｉｎｖｏｌｖｅｍｅｎｔ）が最小化される。即ち、Ｓｃｅｌｌの品質が低下した時、ＵＥは、ｅＮＢ構成によってｓ−Ｍｅａｓｕｒｅｍｅｎｔ値を変えることなく、隣接セルの測定を開始させることができる。第２の解決法と同様に、この第３の解決法のわずかな改善は、検出されたＳｃｅｌｌに対応している測定対象だけを除外するが他のＣＣ上にあるｓ−Ｍｅａｓｕｒｅを用いたままである。
【００４０】
より柔軟性を得るために、測定構成の第４の解決法は、各キャリア周波数（測定対象）に単独のｓ−Ｍｅａｓｕｒｅしきい値を持たせ、且つ隣接セルの測定が各キャリア周波数に単独に制御されることである。この方法では、ｓ‐Ｍｅａｓｕｒｅ機構は、各ＣＣ上で単独に動作されることができる。ＣＣ上のサービングセルの品質がそのｓ−Ｍｅａｓｕｒｅしきい値より低くなった時、ＣＣに対応している隣接セルの測定が開始される。一方では、ＣＣ上のサービングセルの品質がそのｓ−Ｍｅａｓｕｒｅしきい値より高くなった時、特定のＣＣに対応している隣接セルの測定は停止される。図３を再度参照に、ｓ−Ｍｅａｓｕｒｅ値は、ＣＣ間で異なることができるか、または全てのＣＣと同じであることができる。また、各ＣＣ上のｓ−Ｍｅａｓｕｒｅしきい値は、単独に有効または無効にされることができる。
【００４１】
提示された方法の１つの実施形態では、ＵＥは、サービングｅＮＢのその構成されたセルを監視する。ＵＥは、監視によって測定を導き出し、測定結果をサービングｅＮＢに報告する。測定報告は、測定イベントＡ１または測定イベントＡ２によって触発されることができる。測定イベントＡ１は、サービングセル品質は、所定のしきい値より高いことを示し、測定イベントＡ２は、サービングセル品質は、所定のしきい値より低いことを示している。ＵＥは、測定データをＳ−ｍｅａｓｕｒｅｍｅｎｔとも比較し、比較基準は、４つの提示された方法の１つに基づく。基準が合えば、ＵＥは隣接セルを測定する。
【００４２】
図１３は、ｓ‐Ｍｅａｓｕｒｅ機構を用いたＵＥの測定構成の第４の解決法のフローチャートである。ステップ１３２では、ＵＥは、一つずつ全てのコンポーネントキャリアＣＣｉを順に処理する。各構成されたＣＣｉ（例えば、サービングセルが存在する）に対して、ステップ１３４では、サービングセルの信号品質は、このＣＣｉのしきい値（例えば、ｓ−ＭｅａｓｕｒｅＣＣｉ）と比較される。そうでなければ、各構成されていないＣＣｉ（例えば、サービングセルが存在しない）に対して、ステップ１３３では、Ｐｃｅｌｌの信号品質は、このＣＣｉのしきい値（例えば、ｓ−ＭｅａｓｕｒｅＣＣｉ）と比較される。信号品質がしきい値を超えた時、そのＣＣｉ上の隣接セルの測定は、停止される（ステップ１３６）。でなければ、そのＣＣｉ上の隣接セルの測定は、継続または開始される（ステップ１３５）。各ＣＣｉのｓ−Ｍｅａｓｕｒｅ機構は、単独に無効／有効にされることができ、且つ各ＣＣｉのｓ−Ｍｅａｓｕｒｅしきい値は、単独に構成され、最大の柔軟性が第４の解決法においてより多くのシグナリングオーバーヘッドで達成されることができる。
【００４３】
本発明は、説明のためにある特定の実施の形態に関連して述べられているが本発明はこれを制限するものではない。よって、種々の変更、改造、及び上述の実施の形態の種々の特徴の組み合わせは、この請求項に記載したような本発明の範囲を逸脱せずに、行い得る。
【符号の説明】
【００４４】
１０  単一キャリアのＬＴＥシステム
１１、２１、３１、５１、６１、７１  ＵＥ
１２、２２、３２、５２、６２、７７  サービングｅＮＢ
１３、１４、２３、２４、３３、３４  隣接ｅＮＢ
２０  マルチキャリアＬＴＥシステム
３０  マルチキャリアＬＴＥ／ＬＴＥ−Ａシステム
３５、４５  メモリ
３６、４６  プロセッサ
３７、４７  測定モジュール
３８、４８  ＲＦモジュール
３９、４９  アンテナ
４０  表
６３、７３  ｆｅｍｔｏ ｅＮＢ
９０  異質（ｈｅｔｅｒｏｇｅｎｅｏｕｓ）ネットワーク
９１  マクロｅＮＢ
９２  マクロｅＮＢ
９３  ピコｅＮＢ
９４  ピコＵＥ
１０１〜１０４、１１１〜１１７、１２１〜１２４、１３１〜１３６  ステップ
【図１】
2013534093.tif 000003
【図２】
2013534093.tif 000004
【図３】
2013534093.tif 000005
【図４】
2013534093.tif 000006
【図５】
2013534093.tif 000007
【図６】
2013534093.tif 000008
【図７】
2013534093.tif 000009
【図８】
2013534093.tif 000010
【図９】
2013534093.tif 000011
【図１０】
2013534093.tif 000012
【図１１】
2013534093.tif 000013
【図１２】
2013534093.tif 000014
【図１３】
2013534093.tif 000015
【国際調査報告】
2013534093.tif 000016
2013534093.tif 000017